(57)【要約】【課題】  構造を簡単にして費用および騷音を低減するとともに、タブおよびドラムの容積を大きくして洗濯/乾燥容量を増大できる乾燥機兼用洗濯機を提供する。  また、ヒーターの過熱および破損を防止できる乾燥機兼用洗濯機の制御方法を提供する。【解決手段】  キャビネット５０に支持されたタブ６０と;前記タブ６０の内側に回転自在に配置され、布ｍが収容されるとともに通孔７２が形成されたドラム７０と;前記ドラム７０を回転するように設置された駆動手段８０と;前記タブ６０内の洗濯水Ｗまたは空気Ａを加熱するように前記タブ６０に設置されたヒーター９０と；前記ヒーター９０により加熱された空気Ａが前記タブ６０の外側に移動された後、前記ドラム７０の内部に供給されるように設置された循環流路１００と；を含んで乾燥機兼用洗濯機を構成する。【選択図】      図２
2005177506.tif 000002
【特許請求の範囲】
【請求項１】
キャビネットに支持されたタブと;
前記タブの内側に回転自在に配置され、布が収容されるとともに通孔が形成されたドラムと;
前記ドラムを回転するように設置された駆動手段と;
前記タブ内の洗濯水または空気を加熱するように前記タブに設置されたヒーターと；
前記ヒーターにより加熱された空気が前記タブの外側に移動された後、前記ドラムの内部に供給されるように設置された循環流路と；
を含んで構成された、ことを特徴とする乾燥機兼用洗濯機。
【請求項２】
前記循環流路は、前記ヒーターの付近に連通される、ことを特徴とする請求項１に記載の乾燥機兼用洗濯機。
【請求項３】
前記タブには、前記ヒーターが収容されるヒーター収容溝部が形成され、
前記循環流路は、一端が前記ヒーター収容溝部に連通される、ことを特徴とする請求項１に記載の乾燥機兼用洗濯機。
【請求項４】
前記タブの内側の空気を凝縮するように、前記タブの内壁に冷却水を供給する冷却水供給手段をさらに含んで構成された、ことを特徴とする請求項１に記載の乾燥機兼用洗濯機。
【請求項５】
前記冷却水供給手段は、前記タブの内壁に冷却水を案内するように前記タブに形成された冷却水給水口と、
外部ホースに連結され、前記外部ホースを通して給水される冷却水を制御する冷却水バルブと、
前記冷却水バルブを通過した冷却水を前記タブの内壁に案内するように、前記冷却水バルブに一端が連通され、前記冷却水給水口に他端が連通された冷却水給水ホースと、を含んで構成された、ことを特徴とする請求項４に記載の乾燥機兼用洗濯機。
【請求項６】
前記タブは、内壁と外壁との間に冷却流路が形成された二重壁部を含み、
前記冷却流路に冷却流体を供給する冷却流体供給手段をさらに含んで構成された、ことを特徴とする請求項１に記載の乾燥機兼用洗濯機。
【請求項７】
前記冷却流体供給手段は、前記タブの冷却流路と連通するように前記タブに形成された冷却水給水口と、
外部ホースに連結され、前記外部ホースを通して給水される冷却水を制御する冷却水バルブと、
前記冷却水バルブを通過した冷却水を前記冷却水給水口に案内するように、前記冷却水バルブに一端が連通され、前記冷却水給水口に他端が連通された冷却水給水ホースと、を含んで構成された、ことを特徴とする請求項６に記載の乾燥機兼用洗濯機。
【請求項８】
前記キャビネットに形成された布出入穴を開閉するためのドアと、前記ドアの閉鎖時、前記ドアと前記タブとの間を密閉するように前記タブに設置されたガスケットと、を含んで構成された乾燥機兼用洗濯機であって、
前記循環流路は、前記タブ内の空気が前記タブの外側に流出されるように、前記タブの一側に形成されたタブ連通穴部と、
前記タブ連通穴部に一端が連結され、他端が前記ガスケットの外周側に延長された循環ダクトと、
前記循環ダクトに案内された空気が前記ガスケットを通過して前記ガスケットの内側に流入されるように、前記ガスケットに形成されたガスケット連通穴部と、を含んで構成された、ことを特徴とする請求項１から請求項７のいずれか１つの請求項に記載の乾燥機兼用洗濯機。
【請求項９】
タブ内の洗濯水または空気を加熱するように設置されたヒーターと、ドラムを回転するように設置されたモータとを制御する乾燥機兼用洗濯機の制御方法であって、
乾燥行程時、前記ドラムが高速回転されて前記ドラムの内側の空気がヒーターに移動された後、循環流路を通過してドラムの内部に循環されるように前記モータを所定回転数以上に高速駆動し、前記ヒーターをオンにする、ことを特徴とする乾燥機兼用洗濯機の制御方法。
【請求項１０】
乾燥行程時、前記タブの内壁または前記タブの内壁と外壁との間に形成された冷却流路に冷却水が供給されるように、冷却水バルブをオンにする、ことを特徴とする請求項９に記載の乾燥機兼用洗濯機の制御方法。
【請求項１１】
前記モータの回転数が所定以上であると、前記ヒーターをオンにし、前記モータの回転数が所定未満であると、前記ヒーターをオフにする、ことを特徴とする請求項９または請求項１０に記載の乾燥機兼用洗濯機の制御方法。
【発明の詳細な説明】
【技術分野】
【０００１】
本発明は、乾燥機兼用洗濯機およびその制御方法に関するもので、詳しくは、凝縮ダクトによる流路抵抗を最小化して乾燥性能を向上するとともに、構造を簡単にして原価費用を節減できる乾燥機兼用洗濯機およびその制御方法に関するものである。
【背景技術】
【０００２】
一般に、洗濯機は、洗剤が溶解された水またはきれいな水(以下、‘洗濯水’と称する)の作用により衣類や寝具(以下、‘布’と称する)などの汚染物質を除去する機器であって、最近は、布を乾燥する乾燥装置などの多様な補助装置が装着されつつある。
【０００３】
図１は、従来の乾燥機兼用洗濯機の内部を示した一部切欠側断面図である。
従来の乾燥機兼用洗濯機は、図１に示すように、キャビネット２と、このキャビネット２の内部に装着されて洗濯水を貯めるタブ１０と、このタブ１０の内部に回転自在に位置されて布ｍを収容するドラム２０と、このドラム２０を支持するとともに回転駆動するモータ３０と、前記ドラム２０内の空気を吸入、凝縮および加熱した後、再びドラム２０内に循環して布ｍを乾燥する乾燥装置４０と、を含んで構成されている。
前記キャビネット２には、布ｍを出し入れする出入穴３が一面に形成され、この出入穴３を開閉するためのドア４が装着される。
前記ドア４は、前記キャビネット２に回動自在に連結されたドアフレーム４ａと、このドアフレーム４ａに装着されて後方に向かって凸状に形成されたドアガラス４ｂと、から構成される。
【０００４】
前記タブ１０は、前記キャビネット２の上部に連結されたスプリング５に懸架され、前記キャビネット２の下部に装着されたダンパー６に載置されることで、緩衝自在に支持される。
前記タブ１０には、外部から給水される洗濯水を前記タブ１０内に供給する給水装置１２が連結され、前記タブ１０の内部の洗濯水を外部に排水する排水装置１４が連結される。
前記タブ１０の内側下部には、洗濯水を加熱して蒸し洗濯をするように洗濯用ヒーター１５が設置される。
前記タブ１０には、前記ドア４の閉鎖時、前記ドア４に密着されて布ｍ、洗濯水および空気の流出を防止するガスケット１６が装着される。
前記ガスケット１６には、前記乾燥装置４０に連結される筒状の乾燥装置連結口１８が一側に突出形成される。
前記乾燥装置連結口１８は、前記ガスケット１６の外周面に半径方向に突出形成される。
【０００５】
前記ドラム２０には、布ｍ、洗濯水および空気が出入される出入穴２１が形成され、洗濯水および空気が出入される通孔２２が形成される。
【０００６】
前記モータ３０は、回転軸が前記タブ１０を貫通することでベアリングにより支持され、その先端が前記ドラム２０に連結される。
【０００７】
前記乾燥装置４０は、タブ１０の一側に連結された凝縮ダクト４２と、冷却水を制御する冷却水バルブ４３と、この冷却水バルブ４３に連結されて前記凝縮ダクト４２に冷却水を流す冷却水ホース４４と、前記凝縮ダクト４２と連通され、循環ファン４５および乾燥ヒーター４６が内蔵されて高温低湿の空気を前記ドラム２０の内部に循環する乾燥ダクト４８と、前記循環ファン４５を回転するように前記乾燥ダクト４８に装着されたファンモータ４９と、から構成される。
前記凝縮ダクト４２は、一端が前記タブ１０に直交連結され、他端が前記乾燥ダクト４８に連結される。
前記乾燥ダクト４８は、出口端が前記ガスケット１６の乾燥装置連結口１８に内挿または外挿されることで、前記乾燥装置連結口１８に固定される。
【０００８】
以下、このように構成された従来の乾燥機兼用洗濯機の動作を説明する。
まず、前記ドラム２０の内部に布ｍを投入した後、ドア４を閉鎖して洗濯機を作動すると、前記洗濯機は、給水装置１２を通して洗濯水を給水する。
次いで、この給水された洗濯水は、前記タブ１０内に供給されて貯められ、前記ドラム２０の出入穴２１または通孔２２を通してドラム２０の内部に流入されることで、布を浸すようになる。
【０００９】
前記給水を行った後、前記モータ３０が駆動されると、前記ドラム２０が回転し、前記ドラム２０内の布ｍが前記ドラム２０の内部で流動されることで、布ｍと洗濯水との作用により汚染物質が落ちるようになる。
一方、前記洗濯機の作動時、蒸し洗濯が選択された場合、前記洗濯用ヒーター１５がオンになり、前記タブ１０内の洗濯水を加熱する。
前記洗濯機は、前記洗濯行程の終了後、排水装置１４を通してタブ１０内の汚染された洗濯水を洗濯機の外部に排水する。
【００１０】
一方、前記洗濯機は、布ｍに残存する泡をすすぐためのすすぎ行程を複数回行うが、洗濯行程と同様に、給水装置１２およびモータ３０を制御して布に残存する泡をすすぎ、泡を含む汚染水を排水装置１４を通して前記洗濯機の外部に排水する。
前記洗濯機は、前記すすぎ行程を複数回行った後、布ｍの水気を遠心脱水する脱水行程を行う。
その後、前記洗濯機は、前記脱水行程後、前記乾燥装置４０を作動して布ｍを乾燥する。
【００１１】
前記洗濯機は、乾燥行程時、前記モータ３０を駆動して前記ドラム２０を回転し、前記冷却水バルブ４３、循環ファン４５および乾燥ヒーター４６をオンにする。
前記凝縮ダクト４２の内部には、前記冷却水バルブ４３のオンにより冷却水が流れ、前記ドラム２０内の低温多湿の空気は、前記循環ファン４５の回転により前記タブ１０を通して前記凝縮ダクト４２に吸入された後、前記凝縮ダクト４２を通過しながら冷却水により凝縮される。
前記凝縮ダクト４２を通過した空気は、前記乾燥ダクト４８を通過しながら前記乾燥ヒーター４６により加熱されて熱風に変わるが、この熱風は、前記ガスケット１６の乾燥装置連結口１８を通過して前記ガスケット１６の内側に吐出され、前記ドア４のドアガラス４ｂに当接した後、前記ドラム２０に向かって送風されて布を乾燥することで、低温多湿の空気に変わる。
【００１２】
しかしながら、従来の乾燥機兼用洗濯機は、循環ファン４５およびファンモータ４９により騷音が増大し、乾燥ダクト４８、凝縮ダクト４２、循環ファン４５およびファンモータ４９により費用が増大し、凝縮ダクト４２および乾燥ダクト４８で行われる循環流路が複雑なことから流路抵抗が大きくなり、凝縮ダクト４２などが占める空間だけタブ１０およびドラム２０の容積が小さくなるという問題点があった。
【００１３】
また、従来の乾燥機兼用洗濯機は、凝縮ダクト４２がタブ１０に直交連結され、タブ１０から凝縮ダクト４２に流入される空気の流動抵抗が大きくなるので、抵抗による乾燥ヒーター４６の消費電力を大いに要するという問題点があった。
【発明の開示】
【発明が解決しようとする課題】
【００１４】
本発明は、従来の問題点を解決するためになされたもので、構造を簡単にして費用および騷音を低減するとともに、タブおよびドラムの容積を大きくして洗濯/乾燥容量を増大できる乾燥機兼用洗濯機を提供することを目的とする。
また、ヒーターの過熱および破損を防止できる乾燥機兼用洗濯機の制御方法を提供することを目的とする。
【課題を解決するための手段】
【００１５】
前記目的を達成するため、本発明の乾燥機兼用洗濯機は、キャビネットに支持されたタブと;前記タブの内側に回転自在に配置され、布が収容されるとともに通孔が形成されたドラムと;前記ドラムを回転するように設置された駆動手段と;前記タブ内の洗濯水または空気を加熱するように前記タブに設置されたヒーターと；前記ヒーターにより加熱された空気が前記タブの外側に移動された後、前記ドラムの内部に供給されるように設置された循環流路と；を含んで構成されたことを特徴とする。
【００１６】
前記循環流路は、前記ヒーターの付近に連通されることを特徴とする。
前記タブには、前記ヒーターが収容されるヒーター収容溝部が形成され、前記循環流路は、一端が前記ヒーター収容溝部に連通されることを特徴とする。
また、本発明の乾燥機兼用洗濯機は、前記タブの内側の空気を凝縮するように、前記タブの内壁に冷却水を供給する冷却水供給手段をさらに含んで構成されたことを特徴とする。
【００１７】
前記冷却水供給手段は、前記タブの内壁に冷却水を案内するように前記タブに形成された冷却水給水口と、外部ホースに連結され、前記外部ホースを通して給水される冷却水を制御する冷却水バルブと、前記冷却水バルブを通過した冷却水を前記タブの内壁に案内するように、前記冷却水バルブに一端が連通され、前記冷却水給水口に他端が連通された冷却水給水ホースと、を含んで構成されたことを特徴とする。
前記タブは、内壁と外壁との間に冷却流路が形成された二重壁部を含み、前記乾燥機兼用洗濯機は、前記冷却流路に冷却流体を供給する冷却流体供給手段をさらに含んで構成されたことを特徴とする。
【００１８】
前記冷却流体供給手段は、前記タブの冷却流路と連通するように前記タブに形成された冷却水給水口と、外部ホースに連結され、前記外部ホースを通して給水される冷却水を制御する冷却水バルブと、前記冷却水バルブを通過した冷却水を前記冷却水給水口に案内するように、前記冷却水バルブに一端が連通され、前記冷却水給水口に他端が連通された冷却水給水ホースと、を含んで構成されたことを特徴とする。
【００１９】
また、本発明の乾燥機兼用洗濯機は、前記キャビネットに形成された布出入穴を開閉するためのドアと、前記ドアの閉鎖時、前記ドアと前記タブとの間を密閉するように前記タブに設置されたガスケットと、を含んで構成され、前記循環流路は、前記タブ内の空気が前記タブの外側に流出されるように、前記タブの一側に形成されたタブ連通穴部と、前記タブ連通穴部に一端が連結され、他端が前記ガスケットの外周側に延長された循環ダクトと、前記循環ダクトに案内された空気が前記ガスケットを通過して前記ガスケットの内側に流入されるように、前記ガスケットに形成されたガスケット連通穴部と、を含んで構成されたことを特徴とする。
【発明の効果】
【００２０】
本発明の乾燥機兼用洗濯機は、タブ内の洗濯水または空気を加熱するようにタブにヒーターを設置するが、このヒーターにより加熱された空気がタブの外側に移動された後、ドラムに供給されて布を乾燥するように循環流路を形成することで、別途の乾燥ヒーター、循環ファンおよびファンモータが不要になり、構造を簡単にして費用および騷音を最小化できるという効果がある。
【００２１】
また、本発明の乾燥機兼用洗濯機は、乾燥ヒーターや凝縮ダクトなどの空間だけタブおよびドラムの容積を大きくして洗濯/乾燥容量を増大できるという効果がある。
【００２２】
また、本発明の乾燥機兼用洗濯機は、タブの内壁に冷却水を供給する冷却水供給手段を含んで構成され、タブの内側の多湿な空気がタブの内壁に沿って流れる冷却水により凝縮されるので、別途の凝縮ダクトが不要になり、構造を簡単にして費用を節減できるという効果がある。
【００２３】
また、本発明の乾燥機兼用洗濯機は、タブの内壁と外壁との間に冷却流路を形成した二重壁部を含み、冷却流路に冷却流体を供給する冷却流体供給手段を含んで構成され、タブの内側の多湿な空気がタブの内壁と熱交換されて凝縮されるので、別途の凝縮ダクトが不要になり、構造を簡単にして費用を節減するとともに、多湿な空気の熱伝逹面積が大きくなって凝縮性能を向上できるという効果がある。
【００２４】
また、本発明の乾燥機兼用洗濯機の制御方法は、モータの回転数が所定以上であると、ヒーターがオンになり、モータの回転数が所定未満であると、ヒーターがオフになるので、ヒーターの過熱および破損を防止できるという効果がある。
【発明を実施するための最良の形態】
【００２５】
以下、本発明による乾燥機兼用洗濯機およびその制御方法の実施形態を、図面に基づいて説明する。
図２は、本発明による乾燥機兼用洗濯機の第１実施形態の洗濯行程時を示した縦断面図であり、図３は、本発明による乾燥機兼用洗濯機の第１実施形態の乾燥行程時を示した縦断面図であり、図４は、本発明による乾燥機兼用洗濯機の第１実施形態を示した一部分解斜視図である。
【００２６】
本実施形態による乾燥機兼用洗濯機は、図２乃至図４に示すように、キャビネット５０に支持されたタブ６０と、このタブ６０の内側に回転自在に配置されて布ｍを収容するドラム７０と、このドラム７０を回転するように設置された駆動手段８０と、前記タブ６０内の洗濯水Ｗまたは空気Ａを加熱するように前記タブ６０に設置されたヒーター９０と、このヒーター９０により加熱された空気Ａが前記タブ６０の外側に移動された後、前記ドラム７０の内部に供給されるように設置された循環流路１００と、を含んで構成されている。
【００２７】
前記キャビネット５０は、底板５１と、この底板５１の上側に設置されたキャビネット本体５２と、このキャビネット本体５２の前面に設置されたキャビネットカバー５３と、前記キャビネット本体５２の上面に設置されたトッププレート５７と、を含んで構成される。
【００２８】
前記キャビネットカバー５３には、前記ドラム７０の内部に布ｍを出し入れする布出入穴５４が形成され、前記布出入穴５４を開閉するドア５５がヒンジ５５ａにより回動自在に連結される。
前記キャビネットカバー５３の上側または前記トッププレート５７の上面には、前記乾燥機兼用洗濯機の各種行程や時間などを入力するコントロールパネル５６が設置される。
【００２９】
前記タブ６０は、水平または所定角度に傾斜して配置された円筒状であり、前記布出入穴５４の後方には開口穴６１ａが形成され、前記キャビネット本体５２にスプリング６１ｂで連結され、前記底板５１にダンパー６１ｃで連結される。
【００３０】
前記タブ６０には、内側に洗濯水を供給する給水装置６２が連結される。
前記給水装置６２は、外部ホース６２ａに連結されて外部ホース６２ａから給水される洗濯水Ｗを制御する給水バルブ６２ｂと、この給水バルブ６２ｂを通過した洗濯水Ｗが案内される給水ホース６２ｃと、この給水ホース６２ｃに案内された洗濯水Ｗが通過する洗剤桶６２ｄと、前記洗剤桶６２ｄを通過した洗濯水Ｗを前記タブ６０に案内する給水蛇腹パイプ６２ｅと、を含む。
【００３１】
前記タブ６０には、汚染された洗濯水Ｗまたは前記布ｍから脱水された水などを洗濯機の外部に排水する排水装置６３が連結される。
前記排水装置６３は、前記タブ６０に連結されて前記タブ６０内の洗濯水Ｗまたは水を案内する排水蛇腹パイプ６３ａと、この排水蛇腹パイプ６３ａに案内された洗濯水Ｗまたは水をポンピングする排水ポンプ６３ｂと、この排水ポンプ６３ｂからポンピングされた洗濯水Ｗまたは水を前記乾燥機兼用洗濯機の外部に案内する排水ホース６３ｃと、を含む。
【００３２】
前記タブ６０には、布ｍ、洗濯水Ｗおよび空気Ａが前記タブ６０、キャビネットカバー５３およびドア５５の間に流出されることを防止するガスケット６５が連結される。
前記ガスケット６５は、一端が前記タブ６０の開口穴６１ａに連結され、他端が前記キャビネットカバー５３の布出入穴５４に連結され、前記ドア５５と密着されるシール部６６が形成される。
【００３３】
前記タブ６０には、前記ヒーター９０が収容されるヒーター収容溝部６７が形成される。
前記ヒーター収容溝部６７は、前記ヒーター９０が洗濯水Ｗおよび空気Ａを容易に加熱するように、前記タブ６０の下部中央に凹状に形成される。
【００３４】
前記ドラム７０は、前記タブ６０の内部に水平または所定角度傾斜して位置された円筒状であり、前面中央には布ｍまたは洗濯水が出入される開口穴７１が形成され、周面または背面には、洗濯水Ｗまたは空気Ａが流出入される通孔７２が形成され、内周面には布ｍを持ち上げてから落下するリフター７３が装着される。
前記ドラム７０には、前記駆動手段８０に連結されるスパイダ７５が装着される。
【００３５】
前記駆動手段８０は、前記タブ６０の背面に設置されて前記ドラム７０を直接回転するモータにより構成することもでき、前記タブの背面を貫通して先端が前記ドラム側に連結され、後端が前記タブの後方に突出されたドライブシャフトと、前記タブに装着されたモータと、このモータの回転軸に設置された駆動プーリと、前記ドライブシャフトの後端に設置された従動プーリと、これら駆動プーリおよび従動プーリに巻かれたベルトと、から構成することもできるが、以下、前記ドラム７０を直接回転するモータにより構成されたものに限定して説明する。
【００３６】
前記モータ８０は、前記タブ６０の背面に装着された固定子８１と、この固定子８１との間に形成された電磁気力により回転される回転子８２と、この回転子８２に後端が軸設されて前記タブ６０を貫通し、先端が前記ドラム７０の前記スパイダ７５に連結されるドライブシャフト８３と、を含んで構成される。
【００３７】
前記ヒーター９０は、前記タブ６０のヒーター収容溝部６７に前後に長く配置されたヒーター棒９１と、このヒーター棒９１に電流を印加する印加部９２と、から構成される。
【００３８】
前記循環流路１００は、その一端が前記ヒーター９０の付近に連通される。
前記循環流路１００は、その他端が前記ガスケット６５の内側に連通され、前記ガスケット６５の内側に案内された空気Ａが、前記タブ６０の開口穴６１ａおよびドラム７０の開口穴７１を順に通過した後、前記ドラム７０の内部に循環することもでき、他端が前記タブ６０の内側に連通され、前記タブ６０の内側に案内された空気が、前記ドラム７０の開口穴７１を通過してドラム７０の内部に循環することもできるが、以下、前記ガスケット６５の内側に連通されることに限定して説明する。
【００３９】
前記循環流路１００は、前記タブ６０内の空気Ａが前記タブ６０の外側に流出されるように前記タブ６０の一側に形成されたタブ連通穴部１０２と、前記タブ６０のタブ連通穴部１０２に一端が連結され、他端が前記ガスケット６５の外周に延長された循環ダクト１０４と、この循環ダクト１０４に案内された空気が前記ガスケット６５の内側に流入されるように、前記ガスケット６５に形成されたガスケット連通穴部１０６と、により形成される。
【００４０】
前記タブ連通穴部１０２は、乾燥行程時、前記タブ６０内の空気Ａが前記ヒーター９０を通過した後、前記循環ダクト１０４に流出されるように前記ヒーター９０の付近である前記ヒーター収容溝部６７に形成されることが最も好ましい。
また、前記タブ連通穴部１０２は、前記循環ダクト１０４の延長距離を考慮して、前記タブ６０の前部、特に前記ヒーター収容溝部６７の前面部に形成されることが最も好ましい。
【００４１】
前記ガスケット連通穴部１０６は、前記循環ダクト１０４が内挿または外挿されるように前記ガスケット６５の外周面に突出形成される。
一方、前記乾燥機兼用洗濯機は、乾燥行程時、前記タブ６０の内側の空気Ａを凝縮するように前記タブ６０の内壁に冷却水を供給する冷却水供給手段１１０をさらに含んで構成される。
【００４２】
前記冷却水供給手段１１０は、前記タブ６０の内壁に冷却水を案内するように、前記タブ６０に形成された冷却水給水口１１１を含んで構成される。
前記冷却水給水口１１１は、冷却水が前記ドラム７０の通孔７２に流入されない位置に形成されることが好ましい。
前記冷却水給水口１１１は、前記タブ６０の周り部の内周面に冷却水を案内する位置に形成されるか、前記タブ６０の背面部の前面に冷却水を案内する位置に形成される。
前記冷却水供給手段１１０は、前記冷却水給水口１１１に冷却水を供給する冷却水供給器を含んで構成される。
【００４３】
前記冷却水供給器は、外部ホース１１２に連結されて外部ホース１１２を通して給水される冷却水を制御する冷却水バルブ１１３と、この冷却水バルブ１１３を通過した冷却水を前記タブ６０の内壁に案内するように、前記冷却水バルブ１１３に一端が連通され、前記冷却水給水口１１１に他端が連通された冷却水給水ホース１１４と、を含んで構成される。
【００４４】
一方、前記乾燥機兼用洗濯機は、前記コントロールパネル５６に入力された運転命令によって前記給水バルブ６２ｂ、排水ポンプ６３ｂ、モータ８０、ヒーター９０および冷却水バルブ１１３を制御し、乾燥行程時、布ｍを乾燥するために前記ヒーター９０をオン/オフ制御するとともに、前記モータ８０を高速駆動する制御部１２０をさらに含んで構成される。
図中、符号８６は、前記モータ８０の回転数を測定するように前記ステーター８１に設置されたホールセンサである。
【００４５】
以下、このように構成された本発明による乾燥機兼用洗濯機の動作を説明する。
まず、使用者が前記ドラム７０の内部に布ｍを投入した後、前記ドア５５を閉鎖し、前記コントロールパネル５６を通して洗濯、すすぎ、脱水および乾燥などの各種行程を入力して洗濯機を作動すると、前記制御部１２０は、入力された命令によって前記給水バルブ６２ｂ、排水ポンプ６３ｂ、モータ８０、ヒーター９０および冷却水バルブ１１３を制御する。
【００４６】
前記制御部１２０は、洗濯行程が選択された場合、前記給水バルブ６２ｂをオンにして、前記タブ６０に洗濯水Ｗ(洗剤が溶解された水)を給水し、前記タブ６０に給水された洗濯水Ｗは、前記ドラム７０の開口穴７１または通孔７２を通して前記ドラム７０の内部に流入されて布ｍを浸すようになる。
【００４７】
このように洗濯水が所定水位まで給水されると、前記制御部１２０は、前記給水バルブ６２ｂをオフにして前記モータ８０を駆動する。
前記モータ８０の駆動時、前記ドラム７０が回転し、前記ドラム７０の内部の布ｍが前記リフター７３により流動されることで、布ｍの汚染物質が落ちるようになる。
【００４８】
一方、前記制御部１２０は、前記コントロールパネル５６を通して蒸し洗濯が選択された場合、前記モータ８０の駆動中、前記ヒーター９０をオンにし、前記ヒーター９０の付近の洗濯水は、前記ヒーター９０により加熱されて布ｍを高温殺菌洗濯する。
前記制御部１２０は、前記洗濯行程が所定時間の間行われると、前記モータ８０を駆動停止して前記排水ポンプ６３ｂを駆動する。
前記排水ポンプ６３ｂの駆動時、前記タブ６０内の汚染された洗濯水Ｗは、前記排水装置６３を通して前記乾燥機兼用洗濯機の外部に排水される。
【００４９】
前記制御部１２０は、前記タブ６０内の汚染された洗濯水Ｗが全て排水されると、前記排水ポンプ６３ｂを停止する。
また、前記制御部１２０は、すすぎ行程が選択された場合、前記給水バルブ６２ｂ、モータ９０および排水ポンプ６３ｂを前記洗濯行程時と同様に制御して布ｍの泡をすすぐ。
すなわち、前記タブ６０の内部には、前記給水装置６２を通して新しい洗濯水Ｗ(清潔な水)が給水され、この給水された新しい洗濯水Ｗは、ドラム７０の内部に流入されて布ｍを浸し、前記ドラム７０の回転時、新しい洗濯水Ｗにより布ｍの泡がすすがれ、このすすがれた布ｍの汚染された洗濯水Ｗは、排水装置６３を通して前記乾燥機兼用洗濯機の外部に排水される。
【００５０】
また、前記制御部１２０は、脱水行程が選択された場合、前記モータ８０を高速駆動して前記ドラム７０を高速に回転し、前記ドラム７０の内部の布ｍは、ドラム７０の内周面に密着されながら遠心脱水され、布ｍから遠心脱水された水は、前記排水装置６３を通して前記乾燥機兼用洗濯機の外部に排水される。
また、前記制御部１２０は、乾燥行程が選択された場合、前記モータ８０、ヒーター９０および冷却水バルブ１１３を制御して乾燥行程を実施する。
【００５１】
図５は、本発明による乾燥機兼用洗濯機の制御方法の第１実施形態を示したフローチャートである。
【００５２】
前記制御部１２０は、乾燥行程が選択された場合、図３および図４に示すように、前記ドラム７０の内側の空気Ａがヒーター９０に移動された後、循環流路１００を通過してドラム７０の内部に循環されるように前記モータ８０を所定回転数(例えば、４００rpm)以上に高速駆動し、前記タブ６０の内壁に冷却水Ｃが供給され、前記タブ６０内の空気Ａが前記タブ６０の内壁で凝縮されるように前記冷却水バルブ１１３をオンにし、前記タブ６０内の空気Ａが前記ヒーター９０により加熱されるように前記ヒーター９０をオンにすることで、布ｍを乾燥するようになる。(Ｓ１、Ｓ２、Ｓ３、Ｓ４)
【００５３】
以下、前記布ｍの乾燥作用をより詳しく説明する。
前記ドラム７０の内側の空気Ａは、前記ドラム７０の高速回転により流動されて前記通孔７２を通過し、前記ドラム７０の外壁とタブ６０の内壁との間を移動しながら冷却水Ｃにより凝縮されて低湿空気に変わり、前記タブ連通穴部１０２に移動される。
前記タブ連通穴部１０２に移動される低湿空気Ａは、前記ヒーター９０により加熱されて高温低湿空気に変わり、前記循環流路１００であるタブ連通穴部１０２、循環ダクト１０４およびガスケット連通穴部１０６を順に通過した後、前記ガスケット６５の内側に移動される。
【００５４】
前記ガスケット６５の内側に移動された高温低湿の空気は、前記タブ６０の開口穴６１ａおよびドラム７０の開口穴７１を順に通過して前記ドラム７０の内側に移動され、前記ドラム７０内の布ｍと物質/熱交換されて布ｍを乾燥しながら高温多湿に変わり、前記のように循環/凝縮/加熱しながら布ｍを持続的に乾燥する。
一方、前記タブ６０の内壁に給水された冷却水Ｃは、前記タブ６０の内側下部に流れ、前記排水装置６３を通して乾燥機兼用洗濯機の外部に排水される。
前記制御部１２０は、前記のような乾燥が所定時間の間行われ、乾燥時間が終了されると、前記モータ８０を停止し、前記ヒーター９０をオフにしながら前記冷却水バルブ１１３をオフにする。(Ｓ５、Ｓ６、Ｓ７、Ｓ８)
一方、前記乾燥機兼用洗濯機は、前記ヒーター９０に移動される循環空気の風量が小さいときに発生するヒーター９０の過熱と、それによる破損を防止するために、前記モータ８０の回転数が所定以上であるときのみに前記ヒーター９０をオンにし、前記モータ８０の回転数が所定未満であるときは、前記ヒーター９０をオフにすることもできる。
【００５５】
図６は、本発明による乾燥機兼用洗濯機の制御方法の第２実施形態を示したフローチャートである。
まず、前記制御部１２０は、乾燥行程が選択された場合、前記モータ８０を起動した後で加速し、前記冷却水バルブ１１３をオンにする。(Ｓ１１、Ｓ１２、Ｓ１３)
前記モータ８０は、回転数を順次増加しながら前記ドラム７０を回転し、前記ドラム７０の内部の空気Ａは、前記通孔７２を通過して前記ドラム７０の外壁とタブ６０の内壁との間を移動しながら、前記タブ６０の内壁に沿って流れる冷却水Ｃにより凝縮された後、前記ヒーター９０に移動し、このヒーター９０を熱交換なしに通過した後、前記循環流路１００を通過してドラム７０の内部に循環される。
【００５６】
一方、前記制御部１２０は、前記モータ８０が加速されて所定回転数に達すると、前記ヒーター９０をオンにする。(Ｓ１４、Ｓ１５)
前記モータ８０が所定回転数で駆動されるか、それ以上の回転数で駆動されると、前記ドラム７０が高速回転することで、前記ドラム６０、タブ７０、ヒーター９０、循環流路１００およびドラム６０を循環する空気の風量が増加され、前記ヒーター９０は、過熱や破損なしに循環される空気Ａを加熱する。
【００５７】
すなわち、前記ドラム７０内の空気Ａは、前記タブ７０を通過しながら低湿空気に変わり、前記ヒーター９０を通過しながら高温低湿空気に変わり、前記循環流路１００を通して前記ドラム７０に循環されて布ｍを乾燥する。
一方、前記制御部１２０は、前記のような乾燥が所定時間の間行われ、乾燥時間が終了されると、前記モータ８０を停止する。(Ｓ１６、Ｓ１７)
前記モータ８０の停止時、前記ドラム７０が余力回転され、前記ドラム７０、タブ６０、ヒーター９０および循環流路１００を循環した空気Ａは、順次減速されながら冷却水Ｃにより凝縮され、ヒーター９０により加熱されて布ｍを継続して回転する。
【００５８】
前記制御部１２０は、前記モータ８０の回転数が所定未満であると、前記ヒーター９０をオフにするとともに、前記冷却水バルブ１１３をオフにする。(Ｓ１８、Ｓ１９、Ｓ２０)
【００５９】
図７は、本発明による乾燥機兼用洗濯機の第２実施形態の乾燥行程時を示した縦断面図であり、図８は、本発明による乾燥機兼用洗濯機の第２実施形態の乾燥行程時を示した主要部の横断面図である。
【００６０】
本実施形態による乾燥機兼用洗濯機は、図７および図８に示すように、タブ６０の内壁に冷却水を案内する冷却水給水口１１１が前記タブ６０の背面部の前面に冷却水を案内する位置に形成されるか、前記タブ６０の周り部の内周面に冷却水を案内する位置に形成され、ドラム７０の外周面とタブ６０の内周面との間には、前記タブ６０に供給される冷却水が前記ドラム７０の通孔７２に流入されることを防止するとともに、熱風の凝縮を助けるヒートスプレッダー１１５が設置される。
前記ヒートスプレッダー１１５は、熱伝導度の高い銀(Ａｇ)、銅(Ｃｕ)あるいはアルミニウム(Ａｌ)などの金属材により形成される。
【００６１】
本実施形態による乾燥機兼用洗濯機によると、前記ヒートスプレッダー１１５と接触される空気は、前記ヒートスプレッダー１１５との接触により凝縮され、前記ヒートスプレッダー１１５と接触されない空気は、前記タブ６０の内壁に沿って流れる冷却水との接触により凝縮される。
前記冷却水給水口１１１およびヒートスプレッダー１１５以外の構成および作用は、本発明の第１実施形態と同一であるので、同一符号を使用してその詳細な説明を省略する。
【００６２】
図９は、本発明による乾燥機兼用洗濯機の第３実施形態の乾燥行程時を示した主要部の横断面図である。
【００６３】
本実施形態による乾燥機兼用洗濯機は、図９に示すように、タブ６０の内壁に冷却水を案内する冷却水給水口１１１が前記タブ６０の周り部の内周面に冷却水を案内する位置に形成されるか、前記タブ６０の背面部の前面に冷却水を案内する位置に形成され、前記タブ６０の周り部の内周面または前記タブ６０の背面部の前面には、一端が前記冷却水給水口１１１に連結され、他端が前記タブ６０の内側下部に連結されることで、冷却水を前記タブ６０の周り部の内周面に沿って長時間流す冷却水路管１１６が設置される。
前記冷却水給水口１１１および冷却水路管１１６以外の構成および作用は、本発明の第１実施形態と同一であるので、同一符号を使用してその詳細な説明を省略する。
【００６４】
本実施形態による乾燥機兼用洗濯機によると、冷却水が前記タブ６０の周り部の外周面に沿って長時間流れるため、凝縮効率が向上するようになる。
【００６５】
図１０は、本発明による乾燥機兼用洗濯機の第４実施形態の乾燥行程時を示した縦断面図であり、図１１は、本発明による乾燥機兼用洗濯機の第４実施形態の乾燥行程時を示した主要部の横断面図である。
【００６６】
本実施形態による乾燥機兼用洗濯機は、図１０および図１１に示すように、タブ６０の内壁６８ａと外壁６８ｂとの間に冷却流路６９を形成した二重壁部６８を含む。
前記二重壁部６８は、前記タブ６０の全体に形成することもでき、前記タブ６０の周り部および背面部のうちいずれか一側に形成することもできるが、以下、前記タブ６０の周り部および背面部の全てが内壁６８ａおよび外壁６８ｂを有することに限定して説明する。
前記冷却流路６９は、冷却水が前記タブ６０の内側下部に流れるように前記タブ６０の内側下部に連通形成される。
【００６７】
また、前記乾燥機兼用洗濯機は、前記冷却流路６９に冷却水Ｃを供給する冷却流体供給手段１１０’をさらに含んで構成される。
一方、前記冷却流体供給手段１１０’は、前記冷却流路６９に外部の冷たい空気を供給して前記タブ６０の内側の多湿な空気を空冷式で凝縮することもでき、前記冷却流路６９に冷却水Ｃを供給して前記タブ６０の内側の空気Ａを水冷式で凝縮することもできるが、以下、水冷式で凝縮することに限定して説明する。
【００６８】
前記冷却流体供給手段１１０’は、前記冷却流路６９に冷却水を案内するように、前記タブ６０に形成された冷却水給水口１１１’を含んで構成される。
前記冷却水給水口１１１’は、前記タブ６０の外壁６８ｂの上部に形成されることが好ましい。
前記冷却流体供給手段１１０’は、前記冷却水給水口１１１’に冷却水を供給する冷却水供給器を含んで構成される。
【００６９】
前記冷却水供給器は、外部ホース１１２’に連結され、この外部ホース１１２’を通して給水される冷却水を制御する冷却水バルブ１１３’と、この冷却水バルブ１１３’を通過した冷却水を前記タブ６０の内壁に案内するように、前記冷却水バルブ１１３’に一端が連通され、前記冷却水給水口１１１’に他端が連通された冷却水給水ホース１１４’と、を含んで構成される。
【００７０】
本実施形態による乾燥機兼用洗濯機は、前記冷却流路６９、二重壁部６８および前記冷却流体供給手段１１０’以外の構成および作用が本発明の第１実施形態と同一であるので、同一符号を使用してその詳細な説明を省略する。
本実施形態による乾燥機兼用洗濯機は、前記冷却水バルブ１１３’がオンになると、外部ホース１１２’を通して供給された冷却水が前記冷却水バルブ１１３’、冷却水給水ホース１１４’および冷却水給水口１１１’を順に通過した後、前記二重壁部６８の冷却流路６９に給水され、この冷却流路６９を通過した後、前記乾燥機兼用洗濯機の外部に排水される。
【００７１】
一方、前記ドラム７０の高速回転時、前記ドラム７０と前記タブ６０との間を通過する空気Ａは、前記二重壁部６８の内壁６８ａを通して冷却水Ｃにより熱を奪われながら凝縮され、その後の作用は、本発明の第１実施形態と同一であるので、その詳細な説明を省略する。
【図面の簡単な説明】
【００７２】
【図１】従来の乾燥機兼用洗濯機を示した側断面図である。
【図２】本発明による乾燥機兼用洗濯機の第１実施形態の洗濯行程時を示した縦断面図である。
【図３】本発明による乾燥機兼用洗濯機の第１実施形態の乾燥行程時を示した縦断面図である。
【図４】本発明による乾燥機兼用洗濯機の第１実施形態を示した一部分解斜視図である。
【図５】本発明による乾燥器兼用洗濯機の制御方法の第１実施形態を示したフローチャートである。
【図６】本発明による乾燥機兼用洗濯機の制御方法の第２実施形態を示したフローチャートである。
【図７】本発明による乾燥機兼用洗濯機の第２実施形態の乾燥行程時を示した縦断面図である。
【図８】本発明による乾燥機兼用洗濯機の第２実施形態の乾燥行程時を示した主要部の横断面図である。
【図９】本発明による乾燥機兼用洗濯機の第３実施形態の乾燥行程時を示した主要部の横断面図である。
【図１０】本発明による乾燥機兼用洗濯機の第４実施形態の乾燥行程時を示した縦断面図である。
【図１１】本発明による乾燥機兼用洗濯機の第４実施形態の乾燥行程時を示した主要部の横断面図である。
【符号の説明】
【００７３】
５０    キャビネット
６０    タブ
６１ａ    開口穴
６２    給水装置
６２ｂ    給水バルブ
６３    排水装置
６３ｂ    排水ポンプ
６７    ヒーター収容溝部
６８    二重壁部
６８ａ    二重壁部の内壁
６８ｂ    二重壁部の外壁
６９    冷却流路
７０    ドラム
７１    開口穴
７２    通孔
７３    リフター
８０    モータ
９０    ヒーター
１００    循環流路
１０２    タブ連通穴部
１０４    循環ダクト
１０６    ガスケット連通穴部
１１０    冷却水供給手段
１１１    冷却水給水口
１１２    外部ホース
１１３    冷却水バルブ
１１４    冷却水給水ホース
１１０’    冷却流体供給手段
１１１’    冷却水給水口
１１２’    外部ホース
１１３’    冷却水バルブ
１１４’    冷却水給水ホース
１２０    制御部
Ａ    空気
Ｃ    冷却水
ｍ    布
Ｗ    洗濯水
【図１】
2005177506.tif 000003
【図２】
2005177506.tif 000004
【図３】
2005177506.tif 000005
【図４】
2005177506.tif 000006
【図５】
2005177506.tif 000007
【図６】
2005177506.tif 000008
【図７】
2005177506.tif 000009
【図８】
2005177506.tif 000010
【図９】
2005177506.tif 000011
【図１０】
2005177506.tif 000012
【図１１】
2005177506.tif 000013